(57)【要約】【課題】包装袋のリサイクル性を高める。【解決手段】包装袋は、印刷層を含まない樹脂フィルムによって形成された袋体と、袋体に固定される固定部を有するフィルム体とを備え、フィルム体は、表示領域と無表示領域が分離されており、固定部が無表示領域に設けられている。【選択図】図１
2019218077.tif 000002
【特許請求の範囲】
【請求項１】
印刷層を含まない樹脂フィルムによって形成された袋体と、前記袋体に固定される固定部を有するフィルム体とを備え、
前記フィルム体は、表示領域と無表示領域が分離されており、前記固定部が前記無表示領域に設けられていることを特徴とする包装袋。
【請求項２】
前記無表示領域には、前記表示領域を切り離すことができる切欠及び／又は易カット部が設けられていることを特徴とする請求項１記載の包装袋。
【請求項３】
前記固定部は、熱融着で前記樹脂フィルムに固定されていることを特徴とする請求項１又は２記載の包装袋。
【請求項４】
前記袋体は、外周に熱融着された周縁接合部を備え、前記固定部は前記周縁接合部上に配置されていることを特徴とする請求項３記載の包装袋。
【請求項５】
前記表示領域には、情報集積タグが設けられていることを特徴とする請求項１〜４のいずれか１項記載の包装袋。
【請求項６】
前記樹脂フィルムと前記フィルム体の前記無表示領域が透明であることを特徴とする請求項１〜５のいずれか１項記載の包装袋。
【発明の詳細な説明】
【技術分野】
【０００１】
本発明は、液状、ゲル状、固形状、粉末状等の内容物を包装する包装袋に関するものである。
【背景技術】
【０００２】
包装袋は、一般に、内面側に熱可塑性樹脂が積層された樹脂フィルムを用いて、１辺以上をシールして形成されたフィルム袋に内容物を充填した後、充填口をシールする包装形態がとられている。包装袋に用いられる樹脂フィルムは、一般に印刷層を備えており、印刷層で形成される文字や絵柄によって商品名やデザインなどの表示がフィルム面に付加されている（下記特許文献１参照）。また、包装袋に表示を付加する方法として、包装袋の外表面に文字や絵柄が印刷されたラベルを貼着することも行われている（下記特許文献２参照）。
【先行技術文献】
【特許文献】
【０００３】
【特許文献１】特開２００４−２５５５５号公報
【特許文献２】特開２０１７−１０５４９２号公報
【発明の概要】
【発明が解決しようとする課題】
【０００４】
樹脂フィルムに直接印刷層を設けて包装袋に表示を付加する場合には、包装袋をリサイクルする際に樹脂フィルムに印刷層の色材が混入してしまうので、リサイクル品の色が黒に限定されてしまい、リサイクル品のカラーバリエーションが得られなくなる問題が生じる。
【０００５】
これに対して、包装袋の外表面にラベルを貼着する場合には、包装袋から剥がすことができるラベルに文字や絵柄を印刷して、包装袋を形成する樹脂フィルムには印刷層を設けないようにすることで、前述したリサイクル品のカラーバリエーションの問題を解消することができる。しかしながら、包装袋に貼着されたラベルは、商品の流通過程で剥がれてしまう問題があり、そのような場合にはラベルに示された表示の欠落で商品の価値が著しく低下することになる。一方で、袋の流通過程でラベルが剥がれないように接着を強くすると、使用者が袋の使用後にラベルを剥がそうとしたときに剥がし難くなってしまい、リサイクルの目的が達成し難くなる。
【０００６】
本発明は、このような事情に対処することを課題としている。すなわち、前述した問題を解消して包装袋のリサイクル性を高めることが、本発明の課題である。
【課題を解決するための手段】
【０００７】
このような課題を解決するために、本発明は、以下の構成を具備するものである。
印刷層を含まない樹脂フィルムによって形成された袋体と、前記袋体に固定される固定部を有したフィルム体とを備え、前記フィルム体は、表示領域と無表示領域が分離されており、前記固定部が前記無表示領域に設けられていることを特徴とする包装袋。
【発明の効果】
【０００８】
このような特徴を有する包装袋によると、袋体に固定されたフィルム体は、表示領域を切り離して無表示領域のみを固定部の周りに残すことができるので、印刷層を含まない樹脂フィルムからなる袋体とこれに固定された無表示領域のみのフィルム体とを一体にしてリサイクルすることができる。これによって、リサイクル性の高い包装袋を得ることができる。
【図面の簡単な説明】
【０００９】
【図１】本発明の実施形態に係る包装袋を示した説明図である。
【図２】本発明の他の実施形態に係る包装袋を示した説明図である。
【図３】本発明の他の実施形態に係る包装袋を示した説明図である。
【図４】本発明の他の実施形態に係る包装袋を示した説明図である。
【発明を実施するための形態】
【００１０】
以下、図面を参照して本発明の実施形態を説明する。以下の説明では、異なる図における同一符号は同一機能の部位を示しており、各図における重複説明は適宜省略する。
【００１１】
図１に示すように、包装袋１は、袋体２とこの袋体２に固定されるフィルム体３を備えている。袋体２は、重ね合わされた樹脂フィルム１０の周囲に周縁接合部（ヒートシール部）２Ａが形成されて、その内側に内容物が収容されている。
【００１２】
樹脂フィルム１０は、印刷層を含まない無地（例えば、透明）のフィルムであり、例えば、最内層が熱可塑性樹脂層からなり、外側層又は中間層にガスバリア層などを有する多層樹脂フィルムによって構成することができる。
【００１３】
フィルム体３は、袋体２に固定される固定部３Ａを有している。固定部３Ａは、例えば熱融着や接着剤で樹脂フィルム１０にフィルム体３を固定した部位である。図示の例では、固定部３Ａを袋体２の周縁接合部２Ａ上に設けているが、これに限らず、周縁接合部２Ａ以外の樹脂フィルム１０上に固定部３Ａを設けても良い。固定部３Ａを袋体２の周縁接合部２Ａに設けた場合には、印刷の領域を広く取れる利点が得られる。
【００１４】
フィルム体３は、文字や絵柄などが表示された表示領域３Ｐと無表示領域３Ｑとが分離されている。図示の例では、表示領域３Ｐ内の文字や絵柄が形成された印刷層がフィルム体３の中央部にあり、その外側の領域に無表示領域３Ｑが設けられている。そして、前述した固定部３Ａは、無表示領域３Ｑに設けられている。
【００１５】
また、図示の例では、無表示領域３Ｑに、表示領域３Ｐを切り離すことができる易カット部３Ｖが設けられている。また、易カット部３Ｖの端部には、切り離しのきっかけとなる切欠３Ｕが設けられている。易カット部３Ｖは、ミシン目やハーフカットなどで形成することができる。また、切欠３Ｕは、スリットや、Ｕ字やＶ字のノッチなどで形成することができる。また、図示の易カット部３Ｖは、固定部３Ａに沿って、フィルム体３の一辺からそれと平行の他辺に向けて直線的に形成されているが、これに限らず、例えば、表示領域３Ｐを囲むように環状の易カット部３Ｚを設けても良い。
【００１６】
包装袋１において、易カット部３Ｖや切欠３Ｕを設けることは必須では無い。易カット部３Ｖや切欠３Ｕが設けてられていても、設けられなくていなくても、表示領域３Ｐと無表示領域３Ｑが分離されていて、ハサミなどで無表示領域３Ｑに切れ目を入れることで、表示領域３Ｐを残さず切り離すことができるようになっていればよい。
【００１７】
このような包装袋１によると、印刷層を有する表示領域３Ｐをフィルム体３から切り離して、無表示領域３Ｑのみのフィルム体３と袋体２とを一体にして、リサイクルすることができる。これによると、リサイクルされる袋体２とフィルム体３には印刷層の色材が含まれないので、カラーバランスの偏りが無いリサイクル品を得ることができ、リサイクル性の高い包装袋１を得ることができる。
【００１８】
つまり、印刷層を含めてリサイクル材を製造すると黒色の材料となってしまい、カラーバリエーションが付けられなかった。これに対して包装袋１では、印刷層を有する表示領域３Ｐを切り離すことができるので、表示領域３Ｐを切り離した後に、印刷層を含まない素材で、カラーバリエーションのあるリサイクル品を製造することができる。
【００１９】
また、固定部３Ａを熱融着部として接着剤を用いないようにして、フィルム体３の素材を袋体２と同素材とすることにより、更にリサイクル性をよくすることもできる。つまり、接着剤を用いると、リサイクル時に樹脂が白濁する問題が想定される。そのため、接着剤を用いなければ、リサイクル樹脂の白濁を抑えて、用途のバリエーションを増やすこともでき、更にリサイクル性を向上させることができる。固定部３Ａを熱融着部として接着剤を用いないようにして、袋体２とフィルム体３の素材を透明のＰＥＴ素材にすることで、従前のペットボトルのリサイクルシステムにそのまま袋体２と無表示領域のみのフィルム体３を流して、リサイクルを行うことが可能になる。
【００２０】
図２に示した包装袋１（１Ａ）は、図１に示した例と同様の構成を備えている。そして、包装袋１（１Ａ）は、フィルム体３に情報集積タグ４が取り付けられている。情報集積タグ４は、ＩＣタグ、電子タグ、無線タグ、RFIDタグなどとも称されており、例えば、包装袋１とその内部に収容されている収容物の商品情報などが電子データとして記憶されているメモリ装置である。
【００２１】
情報集積タグ４は、表示領域３Ｐ内に設けられている。これにより、情報収集タグ４は、表示領域３Ｐと共に切り離すことができる。このような包装袋１（１Ａ）は、前述した包装袋１と同様にリサイクル性の高い包装袋を得ることができると共に、リサイクル時には情報集積タグ４を表示領域３Ｐと共に切り離して回収することができる。
【００２２】
図３及び図４は、本発明の他の実施形態を示している。図３に示した包装袋１（１Ｂ）と図４に示した包装袋１（１Ｃ）は、袋体２の形状とフィルム体３の形状が図１又は図２に示した例とは異なっているが、基本的な構成は前述した包装袋１と同様である。
【００２３】
図３に示した包装袋１（１Ｂ）は、三角形状のフィルム体３における一辺に沿って長片状の固定部３Ａが設けられており、三角形状のフィルム体３の一つの頂点付近にドット形状の固定部３Ａが設けられている。そして、ドット形状の固定部３Ａの近くには、フィルム体３の角部が切り離されるように易カット部３Ｖが設けられ、長片状の固定部３Ａの近くには、フィルム体３の一辺に沿って易カット部３Ｖが設けられている。
【００２４】
図４に示した包装袋１（１Ｃ）は、三角形状のフィルム体３の角頂点付近にドット形状の固定部３Ａが設けられている。そして、各ドット形状の固定部３Ａの近くには、フィルム体３の角部が切り離されるように易カット部３Ｖが設けられている。
【００２５】
図３及び図４では、情報収集タグ４は、表示領域３Ｐ−１と離れた表示領域３Ｐ−２の位置に設けられている。この場合、情報収集タグ４は、情報収集タグ４のみ、つまり、図３に示すように、表示領域３Ｐ−２のみ表示領域３Ｐ−１とは別に切り離されてもよいし、図４に示すように、表示領域３Ｐ−１と共に切り離されてもよい。これらは、例えば、図３に示すように、表示領域３Ｐ−１の周囲と情報収集タグ４の周囲にそれぞれ易カット部３Ｘを設けることで、情報収集タグ４のみを表示領域３Ｐ−１とは別に切り離すことが可能である。また、表示領域３Ｐ−１と共に表示領域３Ｐ−２が切り離される場合でも、図４に示すように、表示領域３Ｐ−１と表示領域３Ｐ−２を最小限で囲む易カット部３Ｗを設けることで、情報収集タグ４を表示領域３Ｐ−１と共に切り離すことが可能である。このように、表示領域３Ｐ−１及び３Ｐ−２を最小限で切り離すことにより、表示領域３Ｐ−１及び３Ｐ−２が切り離された後のフィルム体３の無表示領域３Ｑを広く残すことで、リサイクル量を増すことができる。
【００２６】
このような実施形態に係る包装袋１（１Ｂ，１Ｃ）によると、前述した包装袋１（１Ａ）と同様に、リサイクル性の高い包装袋を得ることができると共に、リサイクル時には情報集積タグ４を表示領域３Ｐと共に切り離して回収することができる。包装袋１（１Ｂ，１Ｃ）をＰＥＴ素材のリサイクルシステムに流す場合には、袋体２とフィルム体３を共に透明なＰＥＴ素材にすると共に、固定部３は接着剤を用いない熱融着部にすることが求められる。
【００２７】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。特に、袋体の形態はどのようなものであってもよく、口栓を備えるもの、口栓を備えないもの、ピローパウチ、スタンディングパウチ、Ｔパウチ、ジッパー付きパウチ、再シール可能なものなど、各種の形態を採用することができる。また、表示領域には、文字や絵柄、情報集積タグ以外に、無表示領域と一緒にはリサイクル不可能な他の付属物が、無表示領域から切り離すことができる状態で設けられていてもよいし、無表示領域には、無表示領域と一緒にリサイクル可能な付属物が設けられていてもよい。
【符号の説明】
【００２８】
１，１Ａ，１Ｂ，１Ｃ：包装袋，
２：袋体，２Ａ：周縁接合部，３：フィルム体，３Ａ：固定部，
３Ｐ：表示領域，３Ｑ：無表示領域，３Ｖ：易カット部，４：情報集積タグ，
１０：樹脂フィルム
【図１】
2019218077.tif 000003
【図２】
2019218077.tif 000004
【図３】
2019218077.tif 000005
【図４】
2019218077.tif 000006